(57)【要約】【課題】  球面収差を補正するカップリングレンズ７を短時間で最適位置に移動させることができ、２つの対物レンズを光ディスクのトラック方向に配列することができ、２層光ディスクのうちの一方の層の信号を検出する場合に、他方側の層からの迷光がノイズとなることを防止することができる光ピックアップ装置およびドライブ装置を提供する。【解決手段】偏光ホログラムに、光検出器に照射して球面収差を検出するための電気信号を生成する光ビームを導く領域と、光検出器に照射してトラックエラー信号のオフセットを補正する電気信号を生成する光ビームを導く領域とを形成し、トラックエラー信号部を避けてトラックエラー信号のオフセット補正用信号を得る領域３０ｃ，３０ｄ，４０ｃおよび４０ｄが設定される。【選択図】      図１
2010097656.tif 000002
【特許請求の範囲】
【請求項１】
記録媒体によって反射された光ビームを受光して電気信号を生成する光検出器と、前記光ビームを前記光検出器へ導くホログラムとを備える光ピックアップ装置において、
前記ホログラムには、入射した前記光ビームから前記光検出器が受光して球面収差を検出するための光ビームを取り出すための第１の領域と、入射した前記光ビームから前記光検出器が受光してトラックエラー信号のオフセットを補正するための光ビームを取り出すための第２の領域とが形成されることを特徴とする光ピックアップ装置。
【請求項２】
前記光ビームの光軸と直交し、かつ記録媒体のトラック方向に垂直な直線と、前記光軸を中心とする第１の円と、前記光軸を中心とし前記第１の円よりも大きい半径を有する第２の円とによって囲まれる領域と、
前記直線を基準にして前記の領域の他方側に形成される前記直線と前記第１の円とによって囲まれる領域を第１の領域とすることを特徴とする請求項１に記載の光ピックアップ装置。
【請求項３】
前記光ビームの光軸と直交し、かつ記録媒体のトラック方向に垂直な直線と、前記光軸を中心とする第１の円と、前記光軸を中心とし前記第１の円よりも大きい半径を有する第２の円とによって囲まれる領域と、
前記直線を基準にして前記の領域と同じの側に形成される前記直線と前記第１の円とによって囲まれる領域を第１の領域とすることを特徴とする請求項１に記載の光ピックアップ装置。
【請求項４】
前記第２の領域は、前記光検出器に照射してトラックエラー信号を生成する光ビームを導く領域を含まないことを特徴とする請求項１〜３のいずれか１つに記載の光ピックアップ装置。
【請求項５】
前記第１の領域は、記録媒体の集光層とは異なる層からの迷光が集光する領域を含まないことを特徴とする請求項１〜４のいずれか１つに記載の光ピックアップ装置。
【請求項６】
前記迷光が集光する領域は、前記光ビームの光軸を含んだ前記ホログラムの中心部に形成されることを特徴とする請求項５に記載の光ピックアップ装置。
【請求項７】
前記光ピックアップ装置は対物レンズを少なくとも２つ備えることを特徴とする請求項１〜６のいずれか１つに記載の光ピックアップ装置。
【請求項８】
前記対物レンズは、前記記録媒体のトラック方向に配列されることを特徴とする請求項７に記載の光ピックアップ装置。
【請求項９】
前記対物レンズのうちの１つは、前記記録媒体の回転中心を含む半径方向の直線上を移動し、残余の対物レンズは前記直線と平行であって前記記録媒体の回転中心を含まない直線上を移動することを特徴とする請求項８に記載の光ピックアップ装置。
【請求項１０】
請求項１〜９のいずれか１つに記載の光ピックアップ装置を備えたドライブ装置。
【発明の詳細な説明】
【技術分野】
【０００１】
本発明は、ホログラムに球面収差を検出する信号、トラックエラー信号のオフセットを補正する信号およびフォーカスサーボ信号を生成するための領域を設けた光ピックアップ装置および当該光ピックアップ装置を備えたドライブ装置に関する。
【背景技術】
【０００２】
ＢＤ(Blu-ray disc)用光ピックアップにおいては、カップリングレンズを動かして球面収差を補正する。カップリングレンズは、光ディスクの信号記録面からの信号に基づいて動かされる。カップリング移動後の信号記録面からの信号を確認して、必要であれば再びカップリングレンズは動かされる。このように、カップリングレンズの移動と信号記録面からの信号の確認とを繰り返すことによって、カップリングレンズの最適位置が求められる。
【０００３】
ＢＤ，ＤＶＤ(Digital versatile disc)およびＣＤ(Compact disc)の記録および再生を行う光ピックアップにおいては、それぞれ青レーザ、赤レーザおよび赤外レーザの３種類のレーザ光が使用される。１つの対物レンズで３種類のレーザ光を集光すると、ディスクから対物レンズまでの距離が短くなりすぎ、あるいは光の損失が大きくなるという問題が発生するので、ＢＤに用いられる対物レンズとＤＶＤおよびＣＤに用いられる対物レンズとの２種類の対物レンズが使用される。
【０００４】
該２種類の対物レンズは、ディスクのトラック方向に配列されるものと、トラック方向と直交する半径方向に配列されるものとがある。スリムドライブ方式の場合には半径方向のサイズ的な制約が大きいために、対物レンズはトラック方向に配列される方式が主流になっている。
【０００５】
図９は従来のドライブ装置５１の構成を模式的に示す図であり、図１０は従来の光ピックアップ装置５２の構成を示す平面図である。２つの対物レンズ６０ａ，６０ｂは、記録媒体である光ディスク６２のトラック方向に配設される。対物レンズ６０ａ，６０ｂが搭載される光ピックアップ装置５２は、光ディスク６２の半径方向に摺動するので、光ディスク６２のトラック方向に配設される２つの対物レンズ６０ａ，６０ｂは光ディスク６２の半径方向に移動する。２つの対物レンズ６０ａ，６０ｂのうちの一方の対物レンズ６０ａは光ディスク６２の中心を通る直線上を光ディスク６２の半径方向に移動するとともに、他方側の対物レンズ６０ｂは、光ディスク６２の中心を通らず、光ディスク６２の中心６６を通る直線と平行な直線上を移動する。
【０００６】
集積化ユニット５３は、半導体レーザ５４、光検出器５５、偏光ホログラム５６を含む。偏光ホログラム５６は、偏光方向によって光を透過させ、または光を回折させる作用を選択的に行う素子であり往路光と復路光とを分岐する役割も兼ねている。半導体レーザ５４から出射された光はカップリングレンズ５７によって概並行光とされる。概並行光とされた光は、４５度ミラー５８で光ディスク６２の情報記録面と直交する方向に曲げられた後に、対物レンズ６０ａ、６０ｂによって光ディスク６２の情報記録面に集光される。
【０００７】
ホルダー６１に固定される対物レンズ６０ａ，６０ｂは、２層光ディスク６２の第１の情報記録層６２ｂの目標トラックまたは第２の情報記録層６２ｃの目標トラックに光を集光するために、光検出器５５で検出されたフォーカス誤差信号によって光ディスク６２の情報記録面と直交する方向に駆動され、トラック誤差信号によって、光ディスク６２のトラック方向と直交する方向に駆動される。
【０００８】
半導体レーザ５４から出射された直線偏光は、１／４波長板６３によって偏光方向が直線偏光から円偏光に変換された後に、２層光ディスクの光透過層６２ａを透過して第１の情報記録層６２ｂに集光される。この直線偏光は、１／４波長板６３によって、直線偏光に変換される。第１の情報記録面６２ｂからの反射光は、半導体レーザ５４から出射される直線偏光の方向ではなく半導体レーザ５４から出射される直線偏光の方向と直交する方向の直線偏光であるので、偏光方向の違いによって偏光ホログラム５６で回折され、光検出器５５に落射する。
【０００９】
特許文献１は、光ピックアップ装置において、球面収差装置を備えた光ピックアップ装置を提案する。光磁気ディスクから反射され集光光学系を通過しホログラムの各領域に入射した光ビームは、回折されてそれぞれ光検出器の各受光部に導かれる。光検出器は、いずれも受光した光を電気信号に変換し、光検出器で得られた電気信号を用いて集光光学系における対物レンズおよびソリッド・イマージョンレンズの移動調整が行われる。
【００１０】
特許文献２は、多層光ディスクの記録再生において、記録外層からの反射光の影響をなくして球面収差の補正をすることを提案する。補助受光領域の長さを主受光領域の長さよりも短くすることによって、記録外層からの反射光が、補助受光領域のみに照射されることを防ぎ、記録外層からの反射光のノイズをなくする。特許文献３には、任意の規格の記録媒体から情報を再生する際に、記録媒体の規格に拘わりなく再生信号を得るための光ディスク装置が提案されている。
【００１１】
【特許文献１】特開２０００−１７１３４６号公報
【特許文献２】特開２００６−１３９８７２号公報
【特許文献３】特開２００７−８０４６６号公報
【発明の開示】
【発明が解決しようとする課題】
【００１２】
ＢＤ用光ピックアップで、球面収差を検出する信号がないピックアップにおいては、信号記録面からの信号を比較することを繰り返してカップリングレンズを移動して球面収差を補正するので、球面収差の補正に長い時間を要する。
【００１３】
２つの対物レンズがディスクのトラック方向に配列される場合に、一方の対物レンズをディスクの中心を通る直線上に配置すると、他方の対物レンズはディスクの中心を通らずディスクの中心を通る直線と平行な直線上を移動するので、他方側の対物レンズは、ディスクの内周と外周とではトラックの角度の差が大きくなる。トラックに対して高い精度で前記３種類のレーザ光の角度を合わせる必要がある３ビームＤＰＰ(Differential push-
pull)法においてトラックエラー信号の検出ができない。
【００１４】
ＢＤの２層ディスクのうちの一方の層の信号を検出する場合に、他方側の層からの迷光がフォーカスエラー信号、トラックエラー信号および球面収差検出信号等に対してノイズとなる。
【００１５】
特許文献１〜３は、トラックエラー信号のオフセット補正、および、記録媒体の集光層とは異なる層からの迷光を避けた、ホログラムパターン、受光素子の受光パターンとする構成については提案していない。
【００１６】
本発明の目的は、球面収差を補正するカップリングレンズを短時間で最適位置に移動させることができ、２つの対物レンズをディスクのトラック方向に配列することができ、２層ディスクのうちの一方の層の信号を検出する場合に、他方側の層からの迷光がノイズとなることを防止することができる光ピックアップ装置およびドライブ装置を提供することである。
【課題を解決するための手段】
【００１７】
本発明は、記録媒体によって反射された後、光ビームを受光して電気信号を生成する光検出器と、前記光ビームを前記光検出器へ導くホログラムとを備える光ピックアップ装置において、
前記ホログラムには、入射した前記光ビームから前記光検出器が受光して球面収差を検出するための光ビームを取り出すための第１の領域と、入射した前記光ビームから前記光検出器が受光してトラックエラー信号のオフセットを補正するための光ビームを取り出すための第２の領域とが形成されることを特徴とする光ピックアップ装置である。
また本発明は、前記光ピックアップ装置を備えたドライブ装置である。
【発明の効果】
【００１８】
本発明によれば、ホログラムには、入射した光ビームから光検出器が受光して球面収差を検出するための光ビームを取り出すための第１の領域と、入射した光ビームから光検出器が受光してトラックエラー信号のオフセットを補正するための光ビームを取り出すための第２の領域とが形成され、第１の領域を使用して、球面収差信号を作成し、この球面収差信号を見て、球面収差を補正するので、カップリングレンズを短時間で最適位置に移動させることができ、トラックエラー信号のオフセットを補正する電気信号を使用して１ビームのＤＰＰ信号を作成することによって、２つの対物レンズをトラック方向に配置することができ、２層ディスクのうちの一方の層の信号を検出する場合に、他方側の層からの反射光がノイズとなることを防止することができる。
【００１９】
また本発明によれば、前記光ピックアップ装置を備えているので、球面収差を補正するカップリングレンズを短時間で最適位置に移動させることができ、２つの対物レンズをディスクのトラック方向に配列することができ、２層ディスクのうちの一方の層の信号を検出する場合に、他方側の層からの反射光がノイズとならないドライブ装置を提供することができる。
【発明を実施するための最良の形態】
【００２０】
図１は、本発明の実施の第１の形態である受光素子の受光パターンを説明する図である。偏光ホログラム２０は、トラック方向と直交し光ビームの光軸を通る直線（以下分割線という）と光ビームの光軸を中心とする第１の円と第１の円より大きい半径を有する第２の円とによって囲まれる領域２０ａと、分割線を基準として領域２０ａと同じ側にあり分割線と第１の円とによって囲まれる領域２０ｂと、分割線を基準として領域２０ａおよび２０ｂとは他方側にある分割線と平行な直線と第２の円とによって囲まれる領域をトラック方向に２等分に分割した領域２０ｃおよび２０ｄの各領域を有する。ここで第２の円は偏向ホログラム上を通過する、光の外周である。第１の領域は、領域２０ａと領域２０ｂとから成り、第２の領域は、領域２０ｃと領域２０ｄとから成る。
【００２１】
領域２０ａ〜２０ｃおよび２０ｄの各領域に入射した反射光は、それぞれ異なる方向に回折される。偏光ホログラム２０で回折された光は、光検出器の受光部で受光される。偏光ホログラムの領域２０ａで回折された光は、受光部２１ｅと２１ｆの境界付近に落射する。偏光ホログラムの２０ｂの領域で回折された光は、受光部２１ｇと２１ｈの境界付近に落射する。偏光ホログラムの２０ｃの領域で回折された光は、受光部２１ｉに落射する。偏光ホログラムの２０ｄの領域で回折された光は、受光部２１ｊに落射する。
【００２２】
受光素子２１ａ〜２１ｊの各受光素子が受光する受光量に基づいた出力信号をＳ１ａ〜Ｓ１ｊとするとフォーカスエラー信号ＦＥＳは（Ｓ１ｅ−Ｓ１ｆ）＋（Ｓ１ｇ−Ｓ１ｈ）、トラックエラー信号ＴＥＳは（Ｓ１ａ＋Ｓ１ｄ）−（Ｓ１ｂ＋Ｓ１ｃ）−ｋ（Ｓ１ｊ−Ｓ１ｉ），球面収差誤差信号ＳＡＳは、（Ｓ１ｅ＋Ｓ１ｆ）−α（Ｓ１ｇ＋Ｓ１ｈ）の演算を行うことで求められる。ここでαは係数である。再生信号であるＲＦ信号はＳ１ａ＋Ｓ１ｂ＋Ｓ１ｃ＋Ｓ１ｄの演算を行うことによって求められる。
【００２３】
球面収差補正は、カップリングレンズをレーザ光の進行方向に移動させることにより行なわれるが、球面収差補正は球面収差信号を確認した後に行うことによって、球面収差補正に要する時間を短縮することができる。
【００２４】
図２は、半導体レーザ４６および光検出器４７の周辺の構成を示す図である。往路の光と復路の光とは偏向ビームスプリッタ４５で分離され、光検出器４７に導かれる。
【００２５】
図３は、本発明の実施の第２の形態である受光素子の受光パターンを説明する図である。本実施形態においては、球面収差を検出する信号を生成するための光を分離する偏光ホログラムに、トラックエラー信号のオフセットを補正する信号を生成するための光を分離する領域を設けている。偏光ホログラム３０は、分割線と光ビームの光軸を中心とする第１の円と光ビームの光軸を中心とし第１の円より大きい半径を有する第２の円とによって囲まれる領域３０ａと、分割線を基準として領域３０ａとは他方側にある分割線と第１の円とによって囲まれる領域３０ｂと、領域３０ｂの外側に設けられる分割線と平行な直線と第２の円とによって囲まれる領域をトラック方向に２等分に分割した領域３０ｃおよび３０ｄを有する。第１の領域は、領域３０ａと領域３０ｂとから成り、第２の領域は、領域３０ｃと領域３０ｄとから成る。
【００２６】
領域３０ａ〜３０ｄの各領域に入射した反射光は、それぞれ異なる方向に回折され、回折された光は、光検出器の受光部３１にて受光される。偏光ホログラムの３０ａの領域で回折された光は、受光部３１ｅと３１ｆの境界付近に集光する。偏光ホログラムの３０ｂの領域で回折された光は、受光部３１ｇと３１ｈの境界付近に集光する。偏光ホログラムの３０ｃの領域で回折された光は、受光部３１ｉに落射する。偏光ホログラムの３０ｄの領域で回折された光は、受光部３１ｊに落射する。偏光ホログラムで回折されない０次光は、受光部３１ａ〜３１ｄに落射する。
【００２７】
各受光部３１ａ〜３１ｊの受光量に基づいた出力信号をＳ３ａ〜Ｓ３ｊとすると、フォーカスエラー信号ＦＥＳは（Ｓ３ｅ−Ｓ３ｆ）−（Ｓ３ｇ−Ｓ３ｈ）、トラックエラー信号ＴＥＳは（Ｓ３ａ＋Ｓ３ｄ）−（Ｓ３ｂ＋Ｓ３ｃ）−ｋ（Ｓ３ｊ−Ｓ３ｉ）である。
【００２８】
トラックエラー信号は（Ｓ３ａ＋Ｓ３ｄ）−（Ｓ３ｂ＋Ｓ３ｃ）で求めることができるが、偏芯による対物レンズの移動に伴うオフセット補正のために、偏光ホログラムで分離した（Ｓ３ｊ−Ｓ３ｉ）の信号を使用する。ここでｋは係数である。球面収差誤差信号ＳＡＳは、（Ｓ３ｅ＋Ｓ３ｆ）−α（Ｓ３ｇ＋Ｓ３ｈ）の演算を行うことで求めることができる。ここでαは係数である。ＲＦ信号（再生信号）はＳ３ａ＋Ｓ３ｂ＋Ｓ３ｃ＋Ｓ３ｄの演算を行うことで求めることができる。
【００２９】
領域３０ａおよび領域３０ｂの光を使用して、球面収差量を検出するための信号を生成するとともに、ナイフエッジ方式でフォーカス信号を得ることもできる。
【００３０】
領域３０ａおよび領域３０ｂを分割線を基準として、領域３０ａを一方に配置し領域３０ｂを他方側に配置することによって、偏光ホログラムがトラック方向と垂直な方向に変位した場合にフォーカス信号のオフセットをキャンセルすることができる。フォーカス信号、球面収差補正、トラックエラー信号、トラックエラー信号のオフセットを補正する信号を１ビームで作成することができる。１ビーム法は、３ビーム法と比較して、トラックの角度変動に対しての特性変動が少ない。この為、ピックアップがディスクの内周、外周を移動する場合、３ビーム法の場合は、ディスクの回転中心を通る線上の位置を対物レンズが移動するよう配置する必要があるが、１ビームの場合は、ディスクの回転中心を通る線から平行な線上の位置を移動するよう配置でき、２つの対物レンズをトラック方向に配置することができる。
【００３１】
図４は、本発明の実施の第３の形態である受光素子の受光パターンを説明する図である。偏光ホログラム４０は、分割線と光ビームの光軸を中心とする第１の円と光ビームの光軸を中心とし第１の円より大きい半径を有する第２の円とによって囲まれる領域４０ａと、分割線を基準として領域４０ａと同じ側にあり分割線と第１の円とによって囲まれる領域４０ｂとを有する。分割線に対して領域４０ａおよび領域４０ｂとは他方側にある半円は、トラック方向に平行な直線によって２等分に分割され、分割された各領域から偏光ホログラムのボールパターン部が除かれた後の領域４０ｃおよび領域４０ｄが形成される。第１の領域は、領域４０ａと領域４０ｂとから成り、第２の領域は、領域４０ｃと領域４０ｄとから成る。ボールパターン部については図５および図６において説明する。
【００３２】
図４に示す偏光ホログラム４０は４０ａ〜４０ｄに領域が分割されており、光ディスクからの反射光をそれぞれ異なる方向に回折させる。偏光ホログラム４０で回折された光は、光検出器４７の受光部において受光される。偏光ホログラムの領域４０ａで回折された光は、受光部４１ｅと４１ｆの境界付近に集光させる。偏光ホログラムの領域４０ｂで回折された光は、受光部４１ｇと４１ｈの境界付近に集光させる。偏光ホログラムの領域４０ｃで回折された光は、受光部４１ｉに落射する。偏光ホログラムの領域４０ｄで回折された光は、受光部４１ｊに落射する。
【００３３】
偏光ホログラムで回折されない０次光は、受光部４１ａ〜４１ｄに落射する。受光部４１ａ〜４１ｊでの受光量に基づいた出力信号をＳ４ａ〜Ｓ４ｊとするとフォーカスエラー信号ＦＥＳは（Ｓ４ｅ−Ｓ４ｆ）−（Ｓ４ｈ−Ｓ４ｇ）、トラックエラー信号ＴＥＳは（Ｓ４ａ＋Ｓ４ｄ）−（Ｓ４ｂ＋Ｓ４ｃ）−ｋ（Ｓ４ｊ−Ｓ４ｉ）である。ここでｋは係数である。
【００３４】
トラックエラー信号は（Ｓ４ａ＋Ｓ４ｄ）−（Ｓ４ｂ＋Ｓ４ｃ）で求めることができるが、偏芯による対物レンズ１０ａ，１０ｂの移動に伴うオフセット補正のために、偏光ホログラムで分離した（Ｓ４ｊ−Ｓ４ｉ）の信号を使用する。球面収差誤差信号ＳＡＳは、（Ｓ４ｅ＋Ｓ４ｆ）−α（Ｓ４ｇ＋Ｓ４ｈ）の演算を行うことで求めることができる。ここでαは係数である。ＲＦ信号（再生信号）はＳ４ａ＋Ｓ４ｂ＋Ｓ４ｃ＋Ｓ４ｄと、ビーム全体においての演算を行うことで求めることができる。
【００３５】
本実施の形態においては、トラックエラー信号のオフセットを補正する信号の領域である領域４０ｃおよび４０ｄを広くすることができる。フォーカスサーボ信号は領域４０ａおよび領域４０ｂの光を使用して得られるが、領域４０ａおよび領域４０ｂは、分割線に対して同じ側にあるので、偏光ホログラムがトラック方向と垂直な方向に変位する場合のオフセットはキャンセルすることができない。
【００３６】
図５および図６は、偏光ホログラムのトラックエラー信号部を示す図である。図５は、第２の実施形態において使用される偏光ホログラムを示し、図６は、第３の実施形態において使用される偏光ホログラムを示す。３０ｘ，３０ｙ，４０ｘおよび４０ｙは、偏向ホログラム上を通過する反射光で、トラックの位置により明暗が変る部分であり、この部分の光により、トラックエラー信号は作成される。第２の実施形態において使用される偏光ホログラムおよび第３の実施形態において使用される偏光ホログラムはともにトラックエラー信号部を避けてトラックエラー信号のオフセット補正用信号を得る領域３０ｃ，３０ｄ，４０ｃおよび４０ｄが設定される。トラックエラー信号のオフセット補正用信号を得る領域にトラックエラー信号が現れないので、トラックエラー信号が演算によって小さくなることを防止することができる。
【００３７】
図７および図８は、記録媒体の集光層とは異なる層からの迷光を避けた受光パターンの説明する図である。集光層とは異なる層からの迷光は、図７に示す、迷光が集光する領域である迷光エリア３０ｚおよび図８に示す迷光エリア４０ｚに集光する。迷光エリア３０ｚおよび４０ｚは、共に偏光ホログラムに入射する光ビームの光軸を中心とする円である。フォーカスエラー信号と、球面収差信号用の領域３０ａ，３０ｂ，４０ａ，４０ｂおよびトラックエラー信号のオフセット補正信号の領域３０ｃ，３０ｄ，４０ｃ，４０ｄは、迷光エリア３０ｚおよび４０ｚを含まないので、集光層とは異なる層からの迷光が、フォーカスエラー信号と球面収差信号用との領域３０ａ，３０ｂ，４０ａ，４０ｂおよびトラックエラー信号のオフセット補正信号の領域３０ｃ，３０ｄ，４０ｃ，４０ｄに入射することを防ぐことができる。図７に示す第１の領域は、領域３０ａと領域３０ｂとから成り、第２の領域は、領域３０ｃと領域３０ｄとから成る。図８に示す第１の領域は、領域４０ａと領域４０ｂとから成り、第２の領域は、領域４０ｃと領域４０ｄとから成る。これによって、光ディスクの集光層とは異なる層からの迷光がフォーカスエラー信号、トラックエラー信号および球面収差検出信号などに対してノイズとなることを防止することができる。
【００３８】
このように、偏光ホログラムには、入射した光ビームから光検出器が受光して球面収差を検出するための光ビームを取り出すための第１の領域と、入射した光ビームから光検出器が受光してトラックエラー信号のオフセットを補正するための光ビームを取り出すための第２の領域とが形成されるので、球面収差を補正するカップリングレンズを短時間で最適位置に移動させることができ、トラックエラー信号のオフセットを補正する電気信号を使用して１ビームのＤＰＰ信号を作成することによって、２つの対物レンズをトラック方向に配置することができる。
【００３９】
さらに、球面収差を検出するための電気信号を生成する光検出器に光ビームを導く偏光ホログラムに形成される偏光ホログラムのパターンは、分割線と光ビームの光軸を中心とする第１の円と光ビームの光軸を中心とし第１の円より大きい半径を有する第２の円とによって囲まれる領域３０ａと、分割線を基準として領域３０ａとは他方側にある分割線と第１の円とによって囲まれる領域３０ｂを有するので、偏光ホログラム６がトラック方向と垂直な方向に変位した場合にオフセットをキャンセルすることができる。
【００４０】
さらに、球面収差を検出するための電気信号を生成する光検出器に光ビームを導く偏光ホログラム４０は、分割線と光ビームの光軸を中心とする第１の円と光ビームの光軸を中心とし第１の円より大きい半径を有する第２の円とによって囲まれる領域４０ａと、分割線を基準として領域４０ａと同じ側にあり分割線と第１の円とによって囲まれる領域４０ｂとを有するので、トラックエラー信号のオフセットを補正する信号の領域である領域４０ｃおよび４０ｄを広くすることができる。
【００４１】
さらに、光検出器３１，４１に照射してトラックエラー信号のオフセットを補正する電気信号を生成する光ビームを導く領域は、トラックエラー信号部を含まないので、トラックエラー信号が演算によって小さくなることを防止することができる。
【００４２】
さらに、光検出器に照射して、フォーカスエラー信号と、球面収差信号用の領域３０ａ，３０ｂ，４０ａ，４０ｂおよびトラックエラー信号のオフセット補正信号の領域３０ｃ，３０ｄ，４０ｃ，４０ｄは、光ディスクの集光層とは異なる層からの迷光が集光する迷光エリア３０ｚ，４０ｚを含まないので、光ディスクの集光層とは異なる層からの迷光がフォーカスエラー信号、トラックエラー信号および球面収差検出信号などに対してノイズとなることを防止することができる。
【００４３】
さらに、１ビームのＤＰＰ信号を作成することができるので、２つの対物レンズのうちの１つは、光ディスクの回転中心を含む半径方向の直線上を移動し、残余の対物レンズは前記直線と平行であって光ディスクの回転中心を含まない直線上を移動することができる。
【００４４】
上記のために、２つの対物レンズを光ディスクのトラック方向に配置することができる。
さらに、光ピックアップ装置５２を備えたドライブ装置５１を提供することができる。
【図面の簡単な説明】
【００４５】
【図１】本発明の実施の第１の形態である受光素子の受光パターンを説明する図である。
【図２】半導体レーザ４６および光検出器４７の周辺の構成を示す図である。
【図３】本発明の実施の第２の形態である受光素子の受光パターンを説明する図である。
【図４】本発明の実施の第３の形態である受光素子の受光パターンを説明する図である。
【図５】偏光ホログラムのトラックエラー信号部を示す図である。
【図６】偏光ホログラムのトラックエラー信号部を示す図である。
【図７】記録媒体の集光層とは異なる層からの迷光を避けた受光パターンの説明する図である。
【図８】記録媒体の集光層とは異なる層からの迷光を避けた受光パターンの説明する図である。
【図９】従来のドライブ装置５１の構成を模式的に示す図である。
【図１０】従来のピックアップ装置５２の平面図である。
【符号の説明】
【００４６】
２０，３０，４０，５６  偏光ホログラム
２０ａ〜２０ｄ，３０ａ〜３０ｄ，４０ａ〜４０ｄ  偏光ホログラムのパターン
２１，３１，４１，４７，５５  光検出器
２１ａ〜２１ｆ，３１ａ〜３１ｊ，４１ａ〜４１ｊ  光検出器の受光部
３０ｘ，３０ｙ，４０ｘ，４０ｙ  トラックエラー信号部
３０ｚ，４０ｚ  迷光エリア
４５  偏向ビームスプリッタ
４６，５４  半導体レーザ
５１  ドライブ装置
５２  光ピックアップ装置
５３  集積化ユニット
５７  カップリングレンズ
５８  ４５度ミラー
５９  スピンドルモータ
６０ａ，６０ｂ  対物レンズ
６２  光ディスク
６２ａ  ２層光ディスクの光透過層
６２ｂ  第１の情報記録層
６２ｃ  第２の情報記録層
６３  １／４波長板
６５  ガラス基板
６７  アクチュエータ
６８  開口絞り
６９  球面収差補正ユニット
【図１】
2010097656.tif 000003
【図２】
2010097656.tif 000004
【図３】
2010097656.tif 000005
【図４】
2010097656.tif 000006
【図５】
2010097656.tif 000007
【図６】
2010097656.tif 000008
【図７】
2010097656.tif 000009
【図８】
2010097656.tif 000010
【図９】
2010097656.tif 000011
【図１０】
2010097656.tif 000012